(57)【要約】【課題】自立させることができ、かつ意匠性を向上させることが可能な商品包装袋を提供すること。【解決手段】商品包装袋（１）は、１枚の透明合成樹脂製フィルムを、底部に設けられるガゼット部で折り返すことにより、上端部が開口している。商品包装袋（１）は、表シート部（１１）と、裏シート部（１２）と、内部シート部（１３）と、裏シート部（１２）と内部シート部（１３）の間に挟まれ、光沢を有する芯材（３０）とを備える。ガゼット部（２０）は、表シート部（１１）の底部から上方に向かって延びる第１立ち上り部（２１）と、裏シート部の底部から上方に向かって延びる第２立ち上り部（２４）とを含む。【選択図】図１
2020104880.tif 000002
【特許請求の範囲】
【請求項１】
１枚の透明合成樹脂製フィルムを、底部に設けられるガゼット部で折り返すことにより袋状に形成した商品包装袋において、
文字・絵柄模様を有する表シート部と、
前記表シート部から前記ガゼット部を介して連続する裏シート部と、
前記裏シート部から連続し、前記表シート部側に折り返され、前記表シート部側から視認可能な文字・絵柄模様を有する内部シート部と、
前記表シート部、前記裏シート部および前記内部シート部とは別の部材であり、前記裏シート部と前記内部シート部の間に挟まれ、光沢を有する芯材とを備え、
前記ガゼット部は、前記表シート部の底部から上方に向かって延びる第１立ち上り部と、前記裏シート部の底部から上方に向かって延びる第２立ち上り部とを含む、商品包装袋。
【請求項２】
前記ガゼット部は、前記第１立ち上り部と前記第２立ち上り部との間に位置し、下向きに断面視略Ｖ字状に折り返された折り返し部をさらに含む、請求項１に記載の商品包装袋。
【請求項３】
前記第１立ち上り部は、前記表シート部の下端部に固着され、
前記第２立ち上り部は、前記内部シート部および前記芯材を挟んで、前記裏シート部の下端部に固着される、請求項１または２に記載の商品包装袋。
【請求項４】
前記芯材は、光沢を有する物質を蒸着したフィルムである、請求項１〜３のいずれかに記載の商品包装袋。
【請求項５】
前記表シート部から上方に延出するヘッダー部をさらに備える、請求項１〜４のいずれかに記載の商品包装袋。
【請求項６】
前記裏シート部および前記内部シート部の上方に設けられる開口部を閉塞する蓋部をさらに備える、請求項１〜５のいずれかに記載の商品包装袋。
【請求項７】
前記裏シート部および前記内部シート部の上方に設けられる開口部を閉塞するチャック部をさらに備える、請求項１〜５のいずれかに記載の商品包装袋。
【請求項８】
前記表シート部は、前記内部シート部の文字・絵柄模様が視認可能な透明部と、前記内部シート部の文字・絵柄模様が視認できない不透明部とを含み、
前記不透明部は、前記表シート部と前記第１立ち上り部とが一致する部分に設けられている、請求項１〜７のいずれかに記載の商品包装袋。
【発明の詳細な説明】
【技術分野】
【０００１】
この発明は、商品包装袋に関し、特に、１枚の透明合成樹脂製フィルムを、底部に設けられるガゼット部で折り返すことにより袋状に形成した商品収容袋に関する。
【背景技術】
【０００２】
一般的に、商品を内部に入れた状態で自立する包装袋として、たとえば特開２０１７−２０６２９６号公報（特許文献１）および実開昭５５−１７９１４１号公報（特許文献２）が知られている。
【０００３】
特許文献１には、底部ガゼットの途中位置に溶接部が設けられており、商品を収容すると、溶接部から上方が内底部となり、溶接部から下方が自立用脚部となる自立性包装袋が開示されている。特許文献２には、底部ガゼットを逆Ｗ字形に折り畳むことにより形成した自立性袋が開示されている。
【０００４】
一方、商品を陳列する際の体裁をよくするために、形状を安定させることが可能な包装袋として、たとえば実開昭６０−１２３３４４号公報（特許文献３）が知られている。
【０００５】
特許文献３の商品包装袋には、表フィルム、裏フィルムおよび内部フィルムが一体的に連続しており、裏フィルムと内部フィルムとの間に芯材シートが挟まれていることが開示されている。
【先行技術文献】
【特許文献】
【０００６】
【特許文献１】特開２０１７−２０６２９６号公報
【特許文献２】実開昭５５−１７９１４１号公報
【特許文献３】実開昭６０−１２３３４４号公報
【発明の概要】
【発明が解決しようとする課題】
【０００７】
特許文献１および特許文献２の包装袋は、自立することが可能であるが、底部ガゼットの形状を工夫しただけで、包装袋全体の意匠性を考慮したものではない。また、特許文献３の包装袋は、包装袋の形状を安定させることができるものの、自立させることができない。
【０００８】
本発明は、上記のような課題を解決するためになされたものであって、その目的は自立させることができ、かつ意匠性を向上させることが可能な商品包装袋を提供することを目的とする。
【課題を解決するための手段】
【０００９】
本発明の一態様に係る商品包装袋は、１枚の透明合成樹脂製フィルムを、底部に設けられるガゼット部で折り返すことにより袋状に形成したものである。商品包装袋は、文字・絵柄模様を有する表シート部と、表シート部からガゼット部を介して連続する裏シート部と、裏シート部から連続し、表シート部側に折り返され、表シート部側から視認可能な文字・絵柄模様を有する内部シート部と、表シート部、裏シート部および内部シート部とは別の部材であり、裏シート部と内部シート部の間に挟まれ、光沢を有する芯材とを備える。ガゼット部は、表シート部の底部から上方に向かって延びる第１立ち上り部と、裏シート部の底部から上方に向かって延びる第２立ち上り部とを含む。
【００１０】
好ましくは、ガゼット部は、第１立ち上り部と第２立ち上り部との間に位置し、下向きに断面視略Ｖ字状に折り返された折り返し部をさらに含む。
【００１１】
好ましくは、第１立ち上り部は、表シート部の下端部に固着され、第２立ち上り部は、内部シート部および芯材を挟んで、裏シート部の下端部に固着される。
【００１２】
好ましくは、芯材は、光沢を有する物質を蒸着したフィルムである。
【００１３】
好ましくは、表シート部から上方に延出するヘッダー部をさらに備える。
【００１４】
好ましくは、裏シート部および内部シート部の上方に設けられる開口部を閉塞する蓋部をさらに備える。
【００１５】
好ましくは、裏シート部および内部シート部の上方に設けられる開口部を閉塞するチャック部をさらに備える。
【００１６】
好ましくは、表シート部は、内部シート部の文字・絵柄模様が視認可能な透明部と、内部シート部の文字・絵柄模様が視認できない不透明部とを含み、不透明部は、表シート部と第１立ち上り部とが一致する部分に設けられている。
【発明の効果】
【００１７】
本発明によれば、自立させることができ、かつ意匠性を向上させることが可能な商品包装袋を提供することができる。
【図面の簡単な説明】
【００１８】
【図１】本発明の実施の形態に係る商品包装袋を示す図であり、（Ａ）は正面図であり、（Ｂ）は図１（Ａ）のＩ（Ｂ）−Ｉ（Ｂ）線に沿う断面図である。
【図２】本発明の実施の形態に係る商品包装袋を示す図であり、（Ａ）は表シート部、裏シート部および内部シート部の展開図であり、（Ｂ）は芯材の平面図である。
【図３】本発明の実施の形態に係る商品包装袋に商品を収納した状態を示す斜視図である。
【図４】本発明の実施の形態に係る商品包装袋に商品を収納した状態を示す図であり、（Ａ）は正面図であり、（Ｂ）は図４（Ａ）のＩＶ（Ｂ）−ＩＶ（Ｂ）線に沿う断面図である。
【発明を実施するための形態】
【００１９】
本発明の実施の形態について図面を参照しながら詳細に説明する。なお、図中同一または相当部分には同一符号を付してその説明は繰り返さない。
【００２０】
図１，図２を参照しながら、本実施の形態に係る商品包装袋１の一例を説明する。図１において、矢印Ａ１で示す長手方向は上下方向であり、矢印Ａ２で示す幅方向は左右方向であり、矢印Ａ３で示す方向が表側、その反対方向は裏側という。
【００２１】
図１に示すように、本実施の形態に係る商品包装袋１は、１枚の透明合成樹脂製フィルムを、底部に設けられるガゼット部２０で折り返すことにより袋状に形成したものである。以下の説明において、商品包装袋１を、単に包装袋という。
【００２２】
合成樹脂としては、種々の素材のものを使用することができるが、ポリエチレンやポリプロピレンが主として使用される。合成樹脂製フィルムは、透明である。ここで「透明」とは、透過率の高低に関わらず、その先に在るものが透けて見えることをいい、着色の有無は問わない。
【００２３】
包装袋１は、たとえば、全体として平面視矩形形状である。包装袋１は、有底筒状の二方袋である。具体的には、図１（Ｂ）に示すように、包装袋１は、幅方向（左右方向）両端部が溶着されて、上方が開口する開口部１７を有している。この開口部１７から商品を出し入れすることができる。
【００２４】
この包装袋１に入れる商品は、種々の商品を用いることができるが、華やかな印象または高価な印象を強調したい商品、たとえば女性用の衛生品、化粧品などであることが好ましい。
【００２５】
本実施の形態の包装袋１は、表シート部１１と、裏シート部１２と、内部シート部１３と、ガゼット部２０と、芯材３０とを備える。図２（Ａ）に示すように、表シート部１１、裏シート部１２および内部シート部１３は、連続した１枚のシートで形成される。
【００２６】
表シート部１１は、包装袋１の正面に当たる部分である。表シート部１１は、文字・絵柄模様を有する。ここで、文字・絵柄模様とは、たとえば、文字（漢字、数字、アルファベットなど）、自然物（動植物、風景、人物など）、人工物（車、建物など）、または、標章（文字、図形、記号など）の模様などを意味する。以下の説明において、裏シート部１２と内部シート部１３にも文字・絵柄模様が付されているが、同様の意味である。なお、本実施の形態では、文字・図柄模様として、例示的に絵、マークおよび柄などを図示しているが、商品に応じて様々な模様が付される。
【００２７】
本実施の形態では、文字・絵柄模様として、チェックの柄１１ａおよびＡＢＣのマーク１１ｂが表シート部１１に設けられている。柄１１ａおよびマーク１１ｂは不透明な不透明部である。不透明部は、透明ではない部分であり、後述する内部シート部１３の絵１３ａが視認できない部分である。柄１１ａおよびマーク１１ｂが設けられていない部分は、透明な透明部であり、柄１１ａおよびマーク１１ｂが設けられていない部分から商品や内部シート部１３を視認することができる。柄１１ａおよびマーク１１ｂについては、後述する。
【００２８】
表シート部１１には、上方に延出するヘッダー部１４が設けられていてもよい。ヘッダー部１４は上方で折り返されて、たとえば超音波でシールされることにより形成される。ヘッダー部１４には、商品の吊り下げ展示の際に用いられる貫通孔１６が設けられている。
【００２９】
ヘッダー部１４には、ヘッダー部１４から連続し、下方に延出する蓋部１５が設けられている。蓋部１５は、表シート部１１と内部シート部１３との間に設けられる開口部１７を閉塞する。蓋部１５には、裏シート部１２と接着する接着部１８が設けられている。接着部１８により、蓋部１５を開閉自在にすることができる。なお、商品を入れる前には、接着部１８上には、離型紙１９が貼り付けられている。
【００３０】
本実施の形態のように、開口部１７を裏シート部１２および内部シート部１３の上方に設けることで、商品吊り下げ展示の際に、商品だけを盗難されるおそれがない。また、蓋部１５の接着が取れたとしても、商品が抜け落ちることもない。
【００３１】
表シート部１１と対向して裏シート部１２が設けられる。裏シート部１２は、包装袋１の裏面に当たる部分である。裏シート部１２は、表シート部１１からガゼット部２０を介して連続する。表シート部１１は、矩形形状であり、表シート部１１と略同一の大きさである図２（Ａ）に示すように、裏シート部１２は、文字・絵柄模様として、たとえば文字１２ａを有していてもよい。裏シート部１２の文字１２ａは、たとえば商品の説明、販売元、製造元などの文字が付されている。
【００３２】
図１（Ｂ）に示すように、裏シート部１２から連続し、表シート部１１側に折り返されて、内部シート部１３が設けられる。内部シート部１３には、表シート部１１側から視認可能な文字・絵柄模様を有する。文字・絵柄模様は、たとえば花の絵１３ａである。内部シート部１３は、透明であり、後述する芯材３０の光沢が透けて見える。内部シート部１３は、矩形形状であり、表シート部１１と裏シート部１２と略同一の大きさである。内部シート部１３の上下方向の寸法は、表シート部１１および裏シート部１２の上下方向の寸法よりも、下述する第１立ち上り部２１の上下方向の寸法分だけ短くてもよい。
【００３３】
図１（Ｂ）に示すように、表シート部１１と裏シート部１２との間にはガゼット部２０が設けられる。ガゼット部２０は、第１，２立ち上り部２１，２４と、これらの立ち上り部２１，２４の間に設けられる第１，２折り返し部２２，２３とを含む。第１立ち上り部２１は、表シート部１１側に設けられ、表シート部１１の底部から上方に向かって延びている。第２立ち上り部２４は、裏シート部１２側に設けられ、裏シート部１２の底部から上方に向かって延びている。第１，２立ち上り部２１，２４の高さ寸法は同一である。
【００３４】
第１折り返し部２２は、第１立ち上り部２１から連続して設けられる。第２折り返し部２３は、第１折り返し部２２から第２立ち上り部２４へ連続して設けられる。これらの折り返し部２２，２３は、下向きに断面視略Ｖ字状に折り返されている。本実施の形態では、第１立ち上り部２１と第２立ち上り部２４の高さ寸法は同一である。第１，２折り返し部２２，２３の高さ寸法は同一である。なお、第１，２折り返し部２２，２３は、２つ以上設けられてもよく、たとえば折り返し部が２つ設けられる場合、断面略Ｗ字状であってもよい。
【００３５】
第１立ち上り部２１は、表シート部１１の下端部に固着され、第２立ち上り部２４は、裏シート部１２の下端部に固着される。この固着は、第１立ち上り部２１および第２立ち上り部２４の幅方向および高さ方向全面に亘って行われる。本実施の形態の固着は、たとえば溶着であり、超音波による熱シール、圧着シールなどである。この場合、第２立ち上り部２４と裏シート部１２との間には、内部シート部１３および芯材３０の下端部が挟まれているため、これらも固着される。第１立ち上り部２１および第２立ち上り部２４を固着することで、立ち上がり部２１，２４の強度が増し、包装袋１を確実に自立させることが可能となる。
【００３６】
図１（Ｂ）に示すように、裏シート部１２と内部シート部１３の間には、芯材３０が挟まれている。図２（Ｂ）に示すように、芯材３０は、表シート部１１、裏シート部１２および内部シート部１３とは別の部材である。芯材３０は、矩形形状であり、表シート部１１と裏シート部１２と略同一の大きさである。芯材３０は、光沢を有する。芯材３０は、具体的には、芯材３０は、光沢を有する物質を蒸着した蒸着フィルムであり、アルミなどの金属を蒸着させた金属蒸着シートであることが好ましい。芯材３０は、厚手であり、少なくとも、表シート部１１、裏シート部１２および内部シート部１３を形成する合成樹脂フィルムの厚さよりも厚いことが好ましい。芯材３０を厚手にすることで、包装袋１の外径形状を正面視矩形形状のままで保持することが可能となる。芯材３０は、不透明であることが好ましい。芯材３０を不透明にすることで、裏シート部１２の文字１２ａが表シート部１１側から透けない。また、芯材３０は、無地であることが好ましい。
【００３７】
上述のように、包装袋１は、二方袋であり、その幅方向両端部が圧着されている。具体的には、包装袋１の両端部は、ガゼット部２０を除いて、表シート部１１、裏シート部１２、内部シート部１３および芯材３０が重ね合わされて圧着されている。さらに、包装袋１のガゼット部２０は、第１，２立ち上り部２１，２４および折り返し部２２，２３を折り畳んで、重ね合わされて圧着されている。これにより、ガゼット部２０の上下方向の寸法を短くすることができるため、包装袋１の外形が変形することを防ぐことができる。さらに、重心を下にすることができるため、安定して自立させることができる。
【００３８】
次に、包装袋１の文字・絵柄模様について説明する。
【００３９】
図１，２に示すように、表シート部１１には、文字・絵柄模様としての柄１１ａおよびマーク１１ｂが設けられている。柄１１ａは、表シート部１１の下端領域に設けられている。マーク１１ｂは、ガゼット部２０が外部から視認できないようにするために設けられ、表シート部１１の下端縁から帯状に延びている。本実施の形態の柄１１ａは、たとえばチェック柄であるが、ガゼット部２０が外部から視認できないような模様であればよい。
【００４０】
また、マーク１１ｂは、表シート部１１の表面に設けられている。本実施の形態のマーク１１ｂは、たとえば円の中央部にＡＢＣの文字が付されているが、商品に関するキャッチコピーなどの文字や絵柄であることが好ましい。このようなマーク１１ｂを表シート部１１に設けることで、マークが需要者の視覚に飛び込んでくるような印象を与えるため、包装袋１の外観意匠を向上することができる。
【００４１】
上述のように、内部シート部１３には、文字・絵柄模様としての絵１３ａが設けられている。絵１３ａは、表シート部１１から視認できる。具体的には、絵１３ａは、表シート部１１の柄１１ａおよびマーク１１ｂが設けられていない表シート部１１から透けて見える。
【００４２】
上述のように、内部シート部１３は、透明であり、芯材３０の光沢が内部シート部１３上に透けて見える。たとえば内部シート部１３に青色付き透明の部分と、単に透明の部分があり、芯材３０が金色の蒸着フィルムである場合、内部シート部１３の青色付き透明の部分は、青色付きで光って見え、内部シート部１３の単に透明の部分は、金色に光って見える。すなわち、内部シート部１３の模様と芯材３０の光沢の相乗効果で、包装袋１の外観の意匠性を向上させることができる。
【００４３】
また、芯材３０を用いることで、デザイン性を向上させることができるため、一般的にデザイン性を向上させるために包装袋に対して行うパスター加工や部分な蒸着ラミネート加工を施す必要がない。そのため、包装袋１のコストを下げることが可能となる。
【００４４】
図３，図４に示すように、包装袋１の内部に商品を収納した場合に、表シート部１１のマーク１１ｂは商品４０の手前に浮き上がって見え、内部シート部１３の絵１３ａおよび芯材３０はその相乗効果で輝いている背景の役割を果たす。
【００４５】
次に、図３，４を参照して、包装袋１の使用方法について説明する。
【００４６】
まず、包装袋１の形状にあった商品４０を用意する。包装袋１のガゼット部２０の第１，２折り返し部２２，２３を広げて、図４（Ｂ）に示すように、第１，２立ち上り部２１，２４に対して垂直に、つまり載置部に対して水平にする。用意した商品４０を開口部１７から挿入し、第１，２折り返し部２２，２３上に置く。さらに、蓋部１５の接着部１８上の離型紙１９（図１（Ｂ））を剥がして、裏シート部１２に接着部１８を貼り付ける。これにより、商品４０を包装袋１で包装することができる。
【００４７】
このように、第１，２立ち上り部２１，２４を立たせて、第１，２折り返し部２２，２３を水平にすることで、包装袋１を自立させることができる。さらに、商品４０がガゼット部２０の第１，２折り返し部２２，２３上に載り、さらに、第１立ち上り部２１が表シート部１１の柄１１ａで見えないため、商品４０が宙に浮いているように見え、需要者の目を引き、需要者の購買意欲を掻き立てることができる。さらに、表シート部１１の柄１１ａおよびマーク１１ｂが商品４０の前に設けられ、内部シート部１３に絵１３ａが設けられると共に芯材３０の光沢が透けて見えるため、商品４０の背景が輝いて見え、より一層需要者の目を引くことができる。これにより、本実施の形態の包装袋１は、自立させることができ、かつ意匠性を向上させることが可能となる。
【００４８】
なお、本実施の形態において、ヘッダー部１４は、表シート部１１から上方に延出して折り返されることにより形成されるとしたが、表シート部１１および裏シート部１２とは別にヘッダー部１４が取り付けられていてもよい。また、包装袋１にヘッダー部１４が設けられていなくてもよい。
【００４９】
また、ガゼット部２０は、第１，２折り返し部２２，２３を含んでいなくてもよい。たとえば、第１立ち上り部２１と第２立ち上り部２４は、連続して設けられ、その上端縁で折り返されていることが好ましい。
【００５０】
また、包装袋１の開口部１７を閉塞するための蓋部１５は設けられていなくてもよく、その場合、包装袋１の開口部１７には、チャック部が設けられていてもよい。チャック部は、たとえば、互いに嵌合する合成樹脂製の一対の雌部と雄部とを備える。雄部および雌部は、互いに向かい合う表シート部１１および内部シート部１３にそれぞれ設けられる。チャック部は、雄部と雌部とを嵌合させることによって開口部１７を閉鎖できるようになっている。チャック部を設けることで、開口部１７を開閉自在とすることができるため、何度も繰り返し包装袋１を使用することができる。
【００５１】
以上、図面を参照してこの発明の実施の形態を説明したが、この発明は、図示した実施の形態のものに限定されない。図示した実施の形態に対して、この発明と同一の範囲内において、あるいは均等の範囲内において、種々の修正や変形を加えることが可能である。
【符号の説明】
【００５２】
１  包装袋（商品包装袋）、１１  表シート部、１１ａ  柄（文字・絵柄模様）、１１ｂ  マーク（文字・絵柄模様）、１２  裏シート部、１２ａ  文字（文字・絵柄模様）、１３  内部シート部、１３ａ  絵（文字・絵柄模様）、１４  ヘッダー部、１５  蓋部、１６  貫通孔、１７  開口部、１８  接着部、１９  離型紙、２０  ガゼット部、２１  第１立ち上り部、２２  第１折り返し部、２３  第２折り返し部、２４  第２立ち上り部
３０  芯材、４０  商品。
【図１】
2020104880.tif 000003
【図２】
2020104880.tif 000004
【図３】
2020104880.tif 000005
【図４】
2020104880.tif 000006